(57)【要約】【課題】排水管の点検口１のネジ付き蓋体３を、手による回動、専用の蓋開閉レンチによる回動、汎用のモンキーレンチや棒状工具による回動のいずれかを配管場所の状況に応じ、選択し、蓋体３を容易に回動し、開閉すること。【解決手段】排水管Ｐの点検口１のネジ付き蓋体３の上面に、蓋体３の中心軸に対称な一対の凸状部１０，１０’を一定の間隔で形成し、また各凸状部１０，１０’の頂部には蓋開閉レンチ２４の突起２３，２３’を挿入可能である凹陥部１１，１１’を有する。【選択図】        図２
2004324064.tif 000002
【特許請求の範囲】
【請求項１】
排水管の点検口を着脱自在に閉塞するネジ付き蓋体において、該蓋体の上面に、蓋体中心に対称となる一対の凸状部を形成し、かつ該凸状部の頂部には蓋開閉レンチの突起が挿入可能である凹陥部を形成することを特徴とする点検口の蓋体。
【請求項２】
該一対の凸状部は側面に、平面視で、延長線が平行線となる直線部を有し、かつ角部が弧状であることを特徴とする請求項１記載の点検口の蓋体。
【発明の詳細な説明】
【０００１】
【発明の属する技術分野】
本発明は建物などの排水配管において、点検や清掃を行うために、排水管の曲がり部や合流部に設ける点検口の蓋体に関するものである。
【０００２】
【従来の技術】
従来、排水管の曲がり部や、合流部には、配管の点検や清掃を行うため蓋付きの点検口が設置されている。図４は従来の点検口の蓋の平面図であり、蓋２０は受け部である筒状口体に着脱自在に螺合される。蓋２０には閉塞部２１に突出一体成形されたツマミ２２を設け、手で回して締め付けたり、緩めたりすることが出来る。またツマミ２２は平面視で、中央部が括れた矩形であり、指の係り部を形成している。
【０００３】
【特許文献１】
実公昭６０−１９１７９号公報（２頁、第３図）
【０００４】
他の従来例として、筒状口体に着脱自在に螺合される点検口の蓋に一対の凹部を形成し、図５に示す専用の蓋開閉レンチ２４の一対の凸部２３，２３’を蓋の凹部に差し込み、蓋開閉レンチ２４を回し、蓋を開閉するものがある。
【０００５】
【発明が解決しようとする課題】
しかし配管内の排水管において、合流部などの水圧が発生しやすい位置にある点検口では、蓋の雄ネジ部と受け部である筒状口体の雌ネジ部どうしの食い込みが起こり、配管を点検する場合に、手で簡単に蓋を緩められない。また、手で緩めにくい場合、別途、専用工具である蓋開閉レンチを前もって準備しておく必要があるという問題があった。
【０００６】
本発明は、上記の問題を解決するためになされたものであり、ネジ嵌合式の点検口の蓋体を手で容易に開閉することが出来る。また手で開閉しにくい場合は、専用工具である蓋開閉レンチを使用して蓋体の開閉が出来る。さらに専用の工具を準備できない場合でも、ドライバーやスパナなどの汎用工具を使用しても蓋体を開閉することが出来る排水管の点検口の蓋体を提供するものである。
【０００７】
【課題を解決するための手段】
本発明は排水管の点検口を着脱自在に閉塞するネジ付き蓋体において、該蓋体の上面に、蓋体中心に対称となる一対の凸状部を形成し、かつ該凸状部の頂部には蓋開閉レンチの突起が挿入可能である凹陥部を形成することを特徴とする点検口の蓋体である。
【０００８】
また、該一対の凸状部は側面に、平面視で、延長線が平行線となる直線部を有し、かつ角部が弧状であることを特徴とする請求項１記載の点検口の蓋体である。
【０００９】
【作用】
本発明は、ネジ嵌合式の開閉蓋体の閉塞部に蓋体の中心軸と対称に、一定の間隔をあけて、一対の凸状部を形成しているので、該一対の凸状部に指を掛けて、手で蓋体を回動し、開閉することが出来る。また該蓋体の一対の凸状部の頂部には蓋開閉レンチを挿入する凹陥部を有するので、専用の蓋開閉レンチの一対の凸部を該蓋体の凹陥部に挿入し、回動し、開閉することが出来る。
【００１０】
さらに蓋体に形成された一対の凸状部間にドライバーなどの棒状工具をあてがい、工具の作用点が間隔を空けて該一対の凸状部に当接するので、容易に回動し、開閉することが出来る。
【００１１】
また、それぞれが間隔の開いた一対の凸状部は平面視で、側面に延長線が同一の平行線となる直線部を有するので、汎用のモンキーレンチで挟み、開閉することができる。
【００１２】
また角部が弧状であり、該凸状部に架けた指の感触が良く、手に力が加わり易いので蓋体の回転、開閉が容易になる。    すなわち、本発明の点検口の蓋体を、手による回動、専用の蓋開閉レンチによる回動、棒状工具やモンキーレンチなどの汎用工具による回動のいずれかを選択し、開閉させることが出来る。
【００１３】
【発明の実施の形態】
以下本発明の点検口の蓋体について説明する。図１は本発明の実施例である点検口１の平面図であり、図２は図１の側面部分断面図である。建物内の配管を点検、維持するために、配管の合流部、曲がり部の排水管Ｐには点検口１を接続している。該点検口１は短管状の受体２と該受体２に着脱自在に螺合、内挿する蓋体３とで構成されている。さらに、受体２と蓋体３との間にＯリング４を狭持し、ねじ込みによりシールを可能にしている。
【００１４】
受体２の内周には雌ネジ部５を設け、さらにＯリング４が当接する段部６を延設している。また該受体２の外周にはストッパー部７を設けており、該受体２を排水管Ｐの末端に内挿する際、該排水管Ｐと該受体２との接着固定を容易にしている。受体２は排水管Ｐに内挿されているが、外挿されてもかまわない。
【００１５】
蓋体３の閉塞部８の上面には段部９を介して、間隔をあけた位置に一対の凸状部１０、１０’を一体に形成しており、該蓋体３の中心Ｃに対し、該凸状部１０，１０’各々が、左右対称に位置している。また凸状部１０、１０’のそれぞれの頂部には第４図に示す蓋開閉レンチ２４の凸部２３，２３’と嵌合する凹陥部１１，１１’を形成している。
【００１６】
蓋体３の閉塞部８の下面には筒状の雄ネジ部１３を一体に形成しており該閉塞部８と該雄ネジ部１３との間の凹部１４にはＯリング４を装着している。蓋体３の螺進により、受体２の段部６と閉塞部８との間でＯリング４を圧接しシールを可能にしている。
【００１７】
次に蓋体３を受口２にねじ込み挿入したり、取り外す方法について説明する。まず、一対の凸状部１０、１０’に手をあてがって該蓋体３を回転し、開閉することが出来る。凸状部１０、１０’は柱形状で、かつ側面の各角部が曲面部１２を有する弧状柱形状が好ましい。
【００１８】
手で蓋体３を回動出来ない場合、一対の凸状部１０、１０’の凹陥部１１，１１’に、専用工具の蓋開閉レンチ２４の凸部２３，２３’を挿入し、該蓋体３を回動し、開閉することが可能である。
【００１９】
さらに、専用工具が手元にない場合は、図１に示すように蓋体３の一対の凸状部１０、１０’の間に、ドライバー等の棒状工具Ｔを挿入し、該蓋体３を回転する。この時蓋体中心Ｃに対する該一対の凸状部１０、１０’と該棒状工具Ｔとの作用点のモーメントが働くので、容易に該蓋体３を開閉することが出来る。なお、蓋体３は受体２に内挿されているが外挿されていてもかまわない。
【００２０】
また、図３に他の工具を使用した実施例を示す。蓋体３の一対の凸状部１０、１０’の側面には、平面視で、平行な直線部１４ａ、１４ｂ及び１４ａ’、１４ｂ’が形成されており、かつ１４ａ、１４ａ’を結ぶ直線と、１４ｂ、１４ｂ’を結ぶ直線は平行であるので汎用工具のモンキーレンチＭで平行線上にある側面の一方の直線部１４ａ、１４ａ’と他方の直線部１４ｂ、１４ｂ’を挟み、工具を回動することにより、容易に該蓋体３を開閉することが出来る。
【００２１】
【発明の効果】
以上説明したように、本発明の点検口の蓋体によると、手による回動、もしくは専用の蓋開閉レンチによる回動、もしくは種々の汎用工具による回動のいずれかを選択することが出来るので、配管場所の状況に応じた方法を選択し、点検口の蓋体を容易に回動し、開閉することが出来る。
【図面の簡単な説明】
【図１】本発明の実施例である点検口の平面図である。
【図２】図１のＡ−Ａ半断面図である。
【図３】本発明の実施例である点検口の平面図である。
【図４】従来例である。
【図５】従来例の工具である。
【符号の説明】
１      点検口
２      受体
３      蓋体
５    雌ネジ部
１０，１０’    凸状部
１１，１１’    凹陥部
１２    曲面部
１３    雄ネジ部
１４ａ，１４ｂ，１４ａ’，１４ｂ’    直線部
【図１】
2004324064.tif 000003
【図２】
2004324064.tif 000004
【図３】
2004324064.tif 000005
【図４】
2004324064.tif 000006
【図５】
2004324064.tif 000007